(57)【要約】【課題】容易に組み立てできる光源ユニットの提供をする。【解決手段】本発明における光源ユニット２００は、発光部２１０と、発光部２１０が発光部取付面２２１ａに配置されるフレーム２２０と、フレーム２２０の発光部取付面２２１ａの反対に設けられた電源取付面２２１ｂに配置される電気部品である電源装置２６０と、電源装置２６０を電源取付面２２１ｂに保持する保持材２７０とを備え、保持材２７０により電源装置２６０をフレーム２２０に固定するようにしたことで、光源ユニット２００の組み立てを容易にできる。【選択図】          図１２
2018147797.tif 000002
【特許請求の範囲】
【請求項１】
発光部と、
前記発光部が配置される第一の取付面、前記第一の取付面の裏面側に設けられた第二の取付面を有するフレームと、
前記第二の取付面に配置される電気部品と、
前記電気部品を前記第二の取付面に保持する保持材と、
を備える光源ユニットであって、
前記保持材は、
前記第二の取付面との間に配置された前記電気部品を跨いだ状態で、前記フレームに係合することを特徴とする光源ユニット。
【請求項２】
前記保持材は、前記電気部品を前記第二の取付面に保持した状態において、
前記第二の取付面とともに前記電気部品を挟んでいる押え部と、
前記電気部品が間に配置されるように前記押え部に一対設けられ、前記フレームと係合しているフレーム係合部と、
を有していることを特徴とする請求項１に記載の光源ユニット。
【請求項３】
前記フレームは、前記フレーム係合部と係合する保持材受部を有し、
前記保持材受部の幅は、前記フレーム係合部の幅と同一になるような長さに形成されていることを特徴とする請求項２に記載の光源ユニット。
【請求項４】
前記フレームは、前記フレーム係合部が前記フレームを押圧し、前記フレーム係合部の前記フレームを押圧する反力により前記押え部が前記電気部品を前記第二の取付面側に押圧していることを特徴とする請求項２または請求項３のいずれか一項に記載の光源ユニット。
【請求項５】
前記電気部品は、前記フレームに配置された状態において、前記フレームの前記第二の取付面からの距離が第一の距離を有する高部と、前記フレームの前記第二の取付面からの距離が前記第一の距離より短い第二の距離を有する低部とからなる段差を有し、
前記保持材は、前記段差の低部を跨いだ状態で前記フレームと係合することを特徴とする請求項１から請求項４のいずれか一項に記載の光源ユニット。
【請求項６】
前記保持材は、ばね部材であることを特徴とする請求項１から請求項５のいずれか一項に記載の光源ユニット。
【請求項７】
請求項１から請求項６のいずれか一項に記載の光源ユニットと、
前記光源ユニットが取り付けらえる器具本体と、を備え、
前記器具本体は、前記光源ユニットの前記電気部品側が収容される収容凹部を有していることを特徴とする照明器具。
【発明の詳細な説明】
【技術分野】
【０００１】
本発明は、光源ユニットおよび、光源ユニットを備える照明器具に関するものである。
【背景技術】
【０００２】
従来より、発光素子が基板に実装された発光基板と、この発光素子を点灯させる為の電力を発光基板に供給する電気部品である電源装置と、この発光基板と電源装置が取り付けられるフレームを有する光源ユニットがある。
【０００３】
例えば、光源ユニットのフレームは、一面にネジがスライド可能に挿し込まれる溝が設けられている。ネジはネジ頭部がこの溝に固定された状態で、このネジに締め込まれるナットとともに電源装置を保持している。（例えば、特許文献１参照）
【先行技術文献】
【特許文献】
【０００４】
【特許文献１】特開２０１６-４６１５２号公報
【発明の概要】
【発明が解決しようとする課題】
【０００５】
しかしながら、特許文献１の光源ユニットは、電源装置をフレームに固定する為には、ネジを溝に挿し込み、挿し込んだネジを所定の位置までスライドさせ、このスライドさせたネジを電源装置に設けられた取付孔に挿通させた後に、ナットをネジに締め込まなければならず、組み立て作業に手間がかかった。
【０００６】
そこで、本発明は、上記のような課題を解決する為になされたもので、容易に組み立てできる光源ユニットを提供することを目的とする。
【課題を解決するための手段】
【０００７】
本発明における光源ユニットは、発光部と、前記発光部が配置される第一の取付面、前記第一の取付面の裏面側に設けられた第二の取付面を有するフレームと、前記第二の取付面に配置される電気部品と、前記電気部品を前記第二の取付面に保持する保持材と、を備える光源ユニットであって、前記保持材は、前記第二の取付面とともに前記電気部品を挟むように跨いだ状態で、前記フレームに係合することを特徴とするものである。
【発明の効果】
【０００８】
本発明の光源ユニットは、容易に組み立てできるものである。
【図面の簡単な説明】
【０００９】
【図１】実施の形態１における照明器具の斜視図である。
【図２】実施の形態１における照明器具のＡ-Ａ′断面図である。
【図３】実施の形態１における照明器具の分解斜視図である。
【図４】実施の形態１における器具本体の斜視図である。
【図５】実施の形態１におけるバネの斜視図である。
【図６】実施の形態１における光源ユニットの斜視図である。
【図７】実施の形態１における光源ユニットのＣ−Ｃ′断面図である。
【図８】実施の形態１における光源ユニットの分解斜視図である。
【図９】実施の形態１における連結金具の斜視図である。
【図１０】実施の形態１における電源装置の斜視図である。
【図１１】実施の形態１における保持材の斜視図である。
【図１２】実施の形態１における電源装置の取付工程図である。
【図１３】実施の形態１における保持材の取付工程図である。
【図１４】実施の形態２における光源ユニットの斜視図である。
【図１５】実施の形態２における電源装置の斜視図である。
【図１６】実施の形態３における光源ユニットの斜視図である。
【図１７】実施の形態３における光源ユニットのＪ−Ｊ′断面図である。
【図１８】実施の形態３における保持材の平面図である。
【図１９】実施の形態３におけるフレームの平面図である。
【発明を実施するための形態】
【００１０】
実施の形態１.
本発明は、電気部品を保持材によって固定することで、組み立てを容易とするものである。
以下、本発明に係る実施の形態として、天井等に取り付けられる照明器具について説明する。まずは照明器具の全体の構成を説明する。
図１は本実施の形態における照明器具の斜視図である。図２は図１に示すＡ-Ａ′断面図である。図３は図１に示す照明器具１の分解斜視図である。
【００１１】
以下の説明では、図１に示す矢印のように、照明器具の長手方向を長手方向Ｘ、短手方向を短手方向Ｙ、長手方向Ｘおよび短手方向Ｙに直交する方向を上下方向Ｚとする。また、照明器具１が取り付けられる天井などの被取付面に向う方向を上方向Ｚ１とし、上方向Ｚ１と反対側に向う方向を下方向Ｚ２とする。
【００１２】
照明器具１は、器具本体１００と光源ユニット２００とを備える。器具本体１００は、例えば図示しない吊ボルトなどの固定具を用いて被取付面に取り付けられる。光源ユニット２００は、器具本体１００に対して着脱自在に取り付けられている。
【００１３】
図４および図５を参照して、器具本体１００の各部の構成を説明する。図４は図３に示す器具本体１００の斜視図である。図５は図４に示すバネ１２０の斜視図である。器具本体１００は、固定具を用いて被取付面に取り付けられ、下方向Ｚ２側から光源ユニット２００が装着される。
【００１４】
器具本体１００は、光源ユニット２００の一部が挿入され取り付けられる収容凹部１１０が形成されている。この収容凹部１１０は、矩形板状に形成された底部１１０aと、底部１１０ａの長辺の端部から下方向Ｚ２へ延びる一対の側部１１０ｂとで構成され、底部１１０ａと対向する面が開口されている。
この構成により、収容凹部１１０は凹形状をなし、開口される側から光源ユニット２００が挿入されて収容凹部１１０内部に光源ユニット２００の一部を収納する。
また、収容凹部１１０の底部１１０ａには、電源引込孔１１０ａａと固定孔１１０ａｂが形成されている。電源引込孔１１０ａａは、器具本体１００外部から収容凹部１１０内に商用電源から電力供給をうける為の図示しない電源線を引き込む。固定孔１１０ａｂは、器具本体１００を被取付面に固定する為の固定具が挿通されている。
なお、器具本体１００は、開口の長手側辺から上方向Ｚ１に向うに従って短手方向Ｙにおいて広がるように傾斜して形成される傾斜部１１１と、器具本体の長手方向Ｘの両端の側面に設けられた側板１１２とを備えている。この側板１１２は、器具本体１００の長手方向Ｘの両端の側面を覆う側板本体１１２ａと、側板本体部１１２ａから略垂直に突設した側板鍔部１１２ｂとを備える。
【００１５】
収容凹部１１０の底部１１０ａには、収容凹部１１０に挿入される光源ユニット２００を係止して保持するバネ１２０が、Ｘ方向に沿って対になるように２つ配設されている。
バネ１２０は図５に示すようにバネ固定部１２１と、バネ円弧部１２２と、バネ先端部１２３が設けられている。バネ固定部１２１は、収容凹部１１０の底部１１１ａに固定される。バネ円弧部１２２は、円弧形状をしており、一端にバネ先端部１２３が設けられている。バネ先端部１２３は、後述する連結金具２５０に引掛けられる。
また、バネ１２０は、ステンレス材料や、バネ鋼材などの弾性材料で形成される。なお、バネ１２０は、板材の弾性材料を曲げて形成しても良く、線材の弾性材料を曲げて形成してもよい。
【００１６】
収容凹部１１０内部には、器具本体１００の天井側から収容凹部１１０内に引き込まれる電源電線が挿し込まれる端子台１３０が設けられている。この端子台１３０は、矩形状に形成された端子台本体部１３１と、光源ユニット２００に電気的に接続する端子台接続部１３２とを備える。この端子台接続部１３２は、端子台電線１３２ａと端子台電線１３２ａの先端に設けられた端子台コネクタ１３２ｂを備える。
【００１７】
以上が器具本体１００の構成であり、次に、この器具本体１００に装着される光源ユニット２００の構成を図６から図１１を用いて説明する。
図６の（ａ）は図３に示す光源ユニット２００の斜め上からみた斜視図である。図６の（ｂ）は図６の（ａ）の示すＢ部詳細図である。図７は図６の（ａ）に示すＣ−Ｃ′断面図である。図８の（ａ）は図６に示す光源ユニット２００の分解斜視図である。図８の（ｂ）は図８の（ａ）のＤ部拡大図である。図９は図８に示す連結金具２５０の斜視図である。図１０は図８に示す電源装置２６０の斜視図である。図１１は図８に示す保持材２７０の斜視図である。
光源ユニット２００は、発光部２１０と、フレーム２２０と、カバー２３０と、蓋２４０と、連結金具２５０と、電源装置２６０と、保持材２７０とを備えている。
【００１８】
発光部２１０は、複数の発光素子２１１と、複数の発光素子２１１が実装される基板２１２を有している。基板２１２は長尺に形成されており、発光素子２１１が基板２１２の長手方向へ直線状に配設されている。発光部２１０の長手方向Ｘにおける一端部には、電源装置２６０との間を電気的に接続するための電線２１３が接続されている。
ここで、発光素子２１１は、表面実装タイプのＬＥＤ素子であるが、ＣＯＢ型発光モジュールでも良く、有機ＥＬ素子、レーザーダイオード素子でも良い。また、発光素子２１１を直線状に実装する列は一列でも良く、複数列でも良い。
【００１９】
フレーム２２０は長手方向Ｘに沿って長尺且つ矩形板状に形成されたフレーム取付部２２１と、フレーム取付部２２１の長手側辺それぞれから上方向Ｚ１に延出する一対のフレーム側部２２２とで構成されている。
【００２０】
フレーム取付部２２１は板状に形成されており、一方の面は発光部２１０が配設される発光部取付面２２１ａであり、発光部取付面２２１ａの反対の面である他方の面は電源装置２６０が配設される電源取付面２２１ｂとなる。発光部取付面２２１ａは、発光部２１０が配置されるフレーム２２０の第一の取付面である。電源取付面２２１ｂは、電源装置２６０が配設されるフレーム２２０の第二の取付面である。
また、フレーム取付部２２１の長手方向Ｘの端部には電線２１３が配置される電線挿通部２２１ｃが設けられるとともに、電線挿通部２２１ｃ側の端部と他方側の端部の間には電源装置２６０の一端が引っ掛けられるように突設したフレーム突起部２２１ｄが設けられている。
なお、この電源挿通部２２１ｃには、電線２１３が挿通したのちに隙間を設けないようパッキンが取り付けられている。
【００２１】
フレーム側部２２２は、フレーム取付部２２１の電源取付面２２１ｂから対になるように突設して設けられている。
フレーム側部２２２は、フレーム取付部２２１側へ折り返され形成された側部端部２２２ａが設けられている。側部端部２２２ａは、例えば曲げ加工などにより形成されている。
側部端部２２２ａには、図８の（ｂ）に示すように凹形状をした保持材係合部２２２ｂが設けられている。この保持材係合部２２２ｂは、保持材受部２２２ｂａと、保持材受部２２２ｂａの両側に形成された保持材摺動部２２２ｂｂを有している。
保持材受部２２２ｂａは保持材２７０が係合するように形成されている。保持材受部２２２ｂａは、側部端部２２２ａのフレーム取付部２２１側の端部より上方向Ｚ１に凹ませた凹形状である。
保持材摺動部２２２ｂｂは保持材２７０を保持材受部２２２ｂａに誘導するように形成されている。保持材摺動部２２２ｂｂは、側板端部２２２ａのフレーム取付部２２１側の端部より保持材受部２２２ｂａに向って傾斜した形状である。
保持材受部２２２ｂａは、長手方向Ｘにおいて、電源挿通部２２１ｃとフレーム突起部２２１ｄの間に形成されている。
【００２２】
カバー２３０は、発光体２１０を覆うようにフレーム２２０に取り付けられる。カバー２３０は乳白色のアクリル樹脂など拡散性を有する材料により形成され、発光体２１０から照射される光を拡散する。
カバー２３０は発光体２１０を覆う主カバー部２３１と、主カバー部２３１の各端部よりフレーム２２０の側方を覆うカバー係合部２３２を有している。カバー２３０は、主カバー部２３１、カバー係合部２３２が長手方向Ｘへ連続するように形成されている。
【００２３】
蓋２４０は、光源ユニット２００の長手方向Ｘにおける端部に設けられ、カバー２３０の長手方向Xの開口を塞ぐとともに、発光部２１０が照射する光を長手方向Xへ配光する。
【００２４】
フレーム取付部２２１の電源取付面２２１ｂには連結金具２５０が固定されている。連結金具２５０は略Ｌ形状であり、光源ユニット２００を器具本体１００に固定する。連結金具２５０は図９に示すように、フレーム取付部２２１に連結金具２５０を固定する金具固定部２５１と、金具固定部２５１に略垂直に設けられるバネ連結部２５２とを備えている。
バネ連結部２５２は、バネ１６０が引っ掛けられる開口を有している。この開口を介してバネ連結部２５２とバネ１６０のバネ円弧部１６２が係合し、光源ユニット２００は器具本体１００に固定される。
【００２５】
電源装置２６０は、フレーム取付部２２１の電源取付面２２１ｂに配設され、発光部電線２１３を介して発光部２１０と電気的に接続する。
電源装置２６０は、図１０に示すように、電源回路部２６１と、電源回路部２６１が取り付けられる電源ケース２６２と、電源回路部２６１を覆うように電源ケース２６２に取り付けられる電源カバー２６３と、電源回路部２６１に配設され端子台接続部１３２と接続する電源接続部２６４とを備えている。
【００２６】
電源回路部２６１は、商用電源（交流電流）から供給される電力を直流電流に変換し出力するものであり、発光部２１０を点灯させる為の回路部品（図示なし）が実装された回路基板２６１ａと、端子部２６１ｂとを備えている。
回路基板２６１ａは、図示しない回路部品が実装された略長方形の基板である。端子部２６１ｂは、回路基板２６１ａの長手方向の端部それぞれに端子部２６１ｂが実装されている。
端子部２６１ｂは、多面形状をしており、電線が挿し込まれる電線挿込穴２６１ｂａが形成された面と、挿し込まれた電線を外す為の電線解除孔２６１ｂｂが形成されている。また、回路基板２６１ａの長手方向の両端にそれぞれ設けられた端子部２６１ｂのうち商用電源（交流電流）を入力する側を入力端子部２６１ｂｃ、電気部品により変換された直流電流を発光部２１０に出力する側を出力端子部２６１ｂｄとする。
【００２７】
電源ケース２６２は、長手方向Ｘにおいて電源回路部２６１より長く形成されており、長尺な板状をしたケース平面２６２ａと、ケース平面２６２ａの長手側辺から対になるように突設したケース側面２６２ｂを有している。
【００２８】
電源カバー２６３は、長手方向Ｘにおいて電源回路部２６１よりも短く形成されており、電源回路部２６１の電気部品と対向するカバー面２６３ａ、カバー面２６３ａの長手方向Ｘの両端に設けたカバー端面２６３ｂと、カバー面２６３ａの短手方向Ｙの両端に設けられたカバー側面２６３ｃを有している。
この電源カバー２６３は、電源回路部２６１の電気部品を覆い、入力端子部２６１ｂｃおよび出力端子部２６１ｂｄを覆っていない状態で、電源ケース２６２に取り付けられる。
【００２９】
電源接続部２６４は、電源回路部２６１の入力端子部２６１ｂｃに装着されるものであり、端子台接続部１３２と接続し電源回路部２６１に交流電流を供給する。
電源接続部２６４は、一端が入力端子部２６１ｂの電線挿込孔２６１ｂａに挿し込まれる電源電線２６４ａと、電源電線２６４ａの他端に設けられた電線コネクタ２６４ｂを備えている。
【００３０】
また、電源装置２６０は段差を有している。この段差は、長手方向Ｘに隣接する部材のうち一方の部材が、上下方向Ｚにおいて他方の部材より高くなるように突出する、もしくは低くなるように凹むことで形成されている。例えば段差は、第一の高さを有する高部と、第一の高さより低い第二の高さを有する低部からなる。
電源装置２６０においては、長手方向Ｘにおいて電源カバー２６３が電源ケース２６２より短く形成され、上下方向Ｚにおいて電源カバー２６３が電源ケース２６２より突出するように設け段差を形成している。このとき、電源カバー２６３のカバー面２６３ａが高部となり、ケース底面２６２ａからカバー面２６３ａまでの距離が第一の高さとなる。ケース側面２６２ｂの端面が底部となり、ケース底面２６２ａからケース側面２６２ｂの端面までの距離が第二の高さとなる。
【００３１】
保持材２７０は、電源装置２６０を光源ユニット２００のフレーム２２０に固定する。保持材２７０は、電源装置２６０を短手方向Ｙに跨いでおり、電源装置２６０の上方向Ｚ１側と、短手方向Ｙの両側面と対向するように跨いでいる。
保持材２７０はステンレス材料や、バネ鋼材などの弾性材料で形成されており、図１１に示すように、電源装置２６０と当接する押え部２７１と、押え部２７１に対になるように設けられ、フレーム２２０と係合するフレーム係合部２７２とを有している。
保持材２７０は、対になるフレーム係合部２７２が、ケース押え部２７１ｂと内側脚部２７２ａとが交差する箇所を軸として互いに近づくように弾性変形する。
【００３２】
押え部２７１は、押え平面部２７１ａと、ケース押え部２７１ｂを有している。押え平面部２７１ａは、略板状であり保持材側解除孔２７１ｃが形成されている。ケース押え部２７１ｂは、押え平面部２７１ａの対向する側辺それぞれから互い離れるように斜めに形成されている。
押え部２７１は、保持材２７０が電源装置２６０をフレーム２２０に固定した状態で、押え平面部２７１ａが端子部２６１ｂと対向し、ケース押え部２７１ｂがケース側面２６２ｂの端面をフレーム取付部２２１側へ押圧するように形成されている。押え平面部２７１ａが端子部２６１ｂを押圧しないことで、電源回路２６１への負荷を抑制している。
また、このとき保持材側解除孔２７１ｃは、電線解除孔２６１ｂｄと対向する。よって、端子部２６１ｂは、電線保持部２７０が取り付けられた状態でも保持材解除孔２７１ｃを介して挿し込まれた電線を外すことができる。
【００３３】
フレーム係合部２７２は、略Ｖ字形状をしており、対になるように押え部２７１のケース押え部２７１ｂの端部それぞれに設けられている。
フレーム係合部２７２は、ケース押え部２７１ｂ側に設けられた内側脚部２７２ａと、ケース押え部２７１ｂより遠い側に設けられた外側脚部２７２ｂと、外側脚部２７２ｂの端部より内側脚部２７２ａに向って突設した爪部２７２ｃを有している。
この爪部２７２ｃの長手方向Ｘにおける寸法Ｆは、保持材受部２２２ｂａの長手方向Ｘにおける寸法Ｅ（図８の（ｂ）記載）と略同一の長さに形成されている。
【００３４】
以上が照明器具１の全体構成である。次に、図１２を参照して本発明による電源装置２６０を固定する方法の概要を説明する。図１２において、
（ａ）は、フレーム２２０に電源装置２６０が取り付けられる前の状態を示す。
（ｂ）は、電源装置２６０の一端側をフレーム２２０のフレーム突起部２２１ｄに引っ掛けられる状態を示す。
（ｃ）は、フレーム２２０に電源装置２６０が配置された状態を示す。
（ｄ）は、フレーム２２０に保持材２７０が取り付けられて電源装置２６０が固定された状態を示す。
（ｅ）は、フレーム２２０の保持材係合部２２２ｂに保持材２７０の爪部２７２ｃが係合した状態を示す。
なお、図１２は、発光部２１０、カバー２３０、蓋２４０、連結金具２５０などは省略した図にて説明を行なう。
【００３５】
はじめに、図１２の（ａ）に示すように、電源装置２６０はフレーム２２０に取り付けられる前の状態であり、フレーム２２０の電源取付面２２１ｂと電源装置２６０のケース底面２６２ａが対向している。
【００３６】
次に、図１２の（ｂ）に示すように、取り付けをする作業者は、電源装置２６０のケース底面２６２ａ一端をフレーム２２０のフレーム突起部２２１ｄに引っ掛ける。
このとき、電源装置２６０は、出力端子部２６１ｂｄが電線挿通部２２１ｃ側になるように引っ掛けられている。
【００３７】
次に、図１２の（ｃ）に示すように、作業者は、引っ掛けをした電源装置２６０の一端側を軸として、ケース底面２６２ａが電源取付面２２１ｂに当接するように電源装置２６０の他端側を回動し、電源装置２６０をフレーム２２０に配置する。
このとき、電源装置２６０は、出力端子部２６１ｂｄがフレーム２２０の保持材係合部２２２ｂの短手方向Ｙにおける側方になるようにフレーム２２０に配置される。
【００３８】
次に、図１２の（ｄ）に示すように、作業者は、電源装置２６０を跨ぐように電線保持部２７０をフレーム２２０に取り付ける。電源装置２６０の他端側は保持材２７０によりフレーム２２０に固定される。
保持材２７０は、押え部２７１が出力側端子部２６１ｂｄと対向し、フレーム係合部２７２がケース側面２６２ｂと対向するように電源装置２６０を跨いだ状態で、フレーム係合部２７２がフレーム２２０の保持材係合部２２２ｂに係合し、フレーム２２０に取り付けられる。保持材２７０は、押え部２７１が電源装置２６０を電源取付面２２１ｂとともに挟むようにフレーム２２０に取り付けられることで、電源装置２６０の上下方向Ｚへの移動を抑制している。
このとき、保持材２７０は、図１２の（ｅ）に示すように、フレーム係合部２７２の爪部２７２ｃが保持材受部２２２ｂａに係合する。保持材２７０は、爪部２７２ｃの寸法Ｆと保持材受部２２２ｂａの寸法Ｅは略同一の長さに形成されており、長手方向Ｘの移動は抑制される。なお、長手方向Ｘは電源取付面２２１ｂに沿った方向である。
【００３９】
また、図１２の（ｄ）に示すように、保持材２７０は長手方向Ｘにおいて、電源ケース２６３のカバー端面２６３ｂ側と当接するように対向している。よって、電源装置２６０がフレーム２２０の電源取付面２２１ｂに沿って電線挿通部２２１ｃ側への移動を抑制することができる。
つまり、保持材２７０は、電源装置２６０の段差の低部となるケース側面２６２ｂの端面に取り付けられることで、電源装置２６０の長手方向Ｘへの移動を抑制することができる。
さらに、保持材２７０は、押え部２７１がケース側面２６２ｂの端面を電源取付面２２１ｂ側に押圧していることで、電源装置２６０を強固に保持することができ、長手方向Ｘへの移動をより抑制することができる。
【００４０】
以上が電源装置２５０を固定する方法である。次に、図１３を参照して保持材２７０のフレーム２２０への固定方法の概要を説明する。図１３において、
（ａ）は、フレーム２２０に保持材２７０が取り付けられる前の状態を示す。
（ｂ）は、フレーム２２０に保持材２７０が弾性変形された状態を示す。
（ｃ）は、フレーム２２０に保持材２７０が取り付けられた状態を示す。
なお、図１３は、発光部２１０、カバー２３０、蓋２４０、連結金具２５０などは省略した図である。
【００４１】
はじめに、図１３の（ａ）に示すように、フレーム２２０には電源装置２６０が配置され、保持材２７０が取り付けられていない状態である。
なお、短手方向Ｙにおいて、保持材２７０は、対になる外側脚部２７２ｂ同士の寸法Ｇが、フレーム２２０の対になるフレーム側面２２２の対向する面同士の寸法Ｈと略同一であり、フレーム２２０の対になる側面端部２２２ａ同士の寸法Ｉよりも大きく形成されている。
【００４２】
次に、図１３の（ｂ）に示すように、作業者は、保持材２７０をフレーム係合部２７２が互いに近づくように弾性変形させる。
保持材２７０は弾性変形された状態で、対になる外側脚部２７２ｂの寸法Ｇが小さくなり、電源装置２６０のケース側面２６２ｂとフレーム２２０のフレーム側部２２２の間にフレーム係合部２７２が挿し込めるようになる。例えば、寸法Ｇは、対になる側面端部２２２ａの寸法Ｉよりも小さくなる。
【００４３】
次に、図１３の（ｃ）に示すように、作業者は、対になるフレーム係合部２７２が互いに近づいている状態で電源装置２６０を跨ぐように、保持材２７０をフレーム２２０の対になるフレーム側部２２２の間に挿し込みをする。作業者は、保持材２７０をフレーム２２０に挿し込んだ後に、フレーム係合部２７２の弾性変形を解除する。
保持材２７０は、弾性変形が解除されると、対になるフレーム係合部２７２は互いに離れるように広がる。弾性変形が解除された保持材２７０は、フレーム係合部２７２の爪部２７２ｃが保持材係合部２２２ｂに挿し込まれ保持材受部２２２ｂａに係合し、フレーム２２０に固定される。
このとき、押え部２７１は、ケース押え部２７１ｂが電源ケース２６２のケース側面２６２ｂを電源取付面２２１ｂ側に押圧し、電源装置２６０はフレーム２２０に固定される。
【００４４】
また、図１３の（ｃ）において、保持材２７０は、爪部２７２ｃがフレーム係合部２７２の復元力により保持材受部２２２ｂａを押圧するように係合する。この爪部２７２ｃの押圧する力を保持材受部２２２ｂａが受けることで生じる反力により、押え部２７１が電源装置２６０を電源取付面２２１ｂ側に押圧する。
さらに、保持材２７０は、ケース押え部２７１ｂがケース側面２６２ｂの端面を押圧し、押え平面部２７１ａが端子台２６１ｂを押圧しないように設けられていることで、端子台２６１ｂ、回路基板２６１ａおよび端子台２６１ｂの回路基板２６１ａに実装する部分への負荷を抑制して電源装置２６０を保持することができる。
なお、保持材係合部２２２ｂは保持材摺動部２２２ｂｃが設けられている。保持材２７０の弾性変形が解除されたときに、爪部２７２ｃは保持材受部２２２ｂａより長手方向Ｘへ逸れたとしても、保持材摺動部２２２ｂｃに当接することで保持材受部２２２ｂａに誘導され係合することができる。
【００４５】
本実施の形態は、光源ユニット２００は、発光部２１０と、発光部２１０が配置される発光部取付面２２１ａ、この発光部取付面２２１ａの裏面側に設けられた電源取付面２２１ｂを有するフレーム２２０と、電源取付面２２１ｂに配置される電気部品である電源装置２６０と、電源装置２６０を電源取付面２２１ｂに保持する保持材２７０とを備えている。この保持材２７０は、電源取付面２２１ｂとともに電源装置２６０を挟むように跨いだ状態で、フレーム２２０と係合するものであり、上方向Ｚ１側からフレーム２２０に取り付けするだけで電源装置２６０をフレーム２２０に固定することができる。よって光源ユニット１００は、少ない作業工数で組み立てすることができ、容易に組み立てすることができる。
【００４６】
また、本実施の形態の光源ユニット２００は、保持材２７０が、電源取付面２２１ｂとともに電源装置２６０を挟む押え部２７１と、押え部２７１から電源装置２６０を挟むように対に設けられ、フレーム２２０と係合するフレーム係合部２７２とを有している。
保持材２７０は、押え部２７１が電源装置２６０の上方向Ｚ１への移動を抑制し、フレーム係合部２７２が電源装置２６０の短手方向Ｙへの移動を抑制することで、電源装置２６０をフレーム２２０に固定することができる。
【００４７】
また、本実施の形態は、フレーム２２０は、保持材２７０のフレーム係合部２７２が係合する保持材係合部２２２ｂａが設けられている。この保持材係合部２２２ｂの保持材受部２２２ｂａとフレーム係合部２７２の爪部２７２ｃとが略同一の長さに形成されていることで、保持材２７０の長手方向Ｘへ移動することを抑制することができる。
【００４８】
また、本実施の形態は、光源ユニット２００は、電源装置２６０の一端側がフレーム２２０の突起部２２１ｄに引っ掛けられ、電源装置２６０の他端側には保持材２７０が電源ケース２６３のカバー端面２６３ｂ側と対向した状態で電源装置２６０の段差の底部であるケース側面２６２ｂに配置されていることで、電源装置２６０が長手方向Ｘに移動することを抑制することができる。
【００４９】
また、本実施の形態は、保持材２７０は、爪部２７２ｃが保持材受部２２２ｂａに押圧するように係合しており、この押圧するように係合することで生じる反力により押え部２７１が電源装置２６０を電源取付面２２１ｂ側へ押圧することができる。
さらに、保持材２７０は、電源装置２６０をフレーム２２０に押圧する押え部２７１が、端子部２６１ｂと対向するように設けられた押え平面部２７１ａと、ケース側面２６２ｂの端面を押圧するケース押え部２７１ｂとを有しており、押え平面部２７１ａが端子部２６１ｂを押圧しないことで、電源回路部２６１への負荷を抑制して電源装置２６０を固定することができる。
【００５０】
また、本実施の形態は、保持材２７０は弾性変形可能に形成されていることで、電源装置２６０を跨いだ状態にて、フレーム２２０の対になるフレーム側部２２２の間に押し込むことができるので、容易に組み立てすることができる。
【００５１】
また、本実施の形態の光源ユニット２００は、フレーム側部２２１が保持材２７０と係合することで電源回路２６０がフレーム２２０に固定されるので、フレーム取付部２２１にスライド用の溝を設ける必要がなく、フレーム取付部２２１を板状に形成することができる。
よって、光源ユニット２００が器具本体１００に取り付けられた状態において、フレーム２２０が収容凹部１１０の内部に占める割合を減らすことができ、収容凹部１１０の内部空間を効率良く使用することができる。
【００５２】
また、本実施の形態の光源ユニット２００は、電源装置２６０のケース側面２６２ｂの端面と当接するケース押え部２７１ｂおよび、フレーム２２０の電源取付面２２１ａとフレーム係合部２７２が互いに接触する箇所に塗装もしくは被膜材を設けないようにしてもよい。塗装もしくは被膜材を設けないようにすることで、電源装置２６０とフレーム２２０が電気的に接続し、電源装置２６０の接地を取ることができる。
【００５３】
なお、本実施の形態では電源装置２６０は、ケース底面２６２ａの一端がフレーム突起部２２１ｄに引っ掛けられ、他端側を保持材２７０が配設されフレーム２２０に固定されている仕様について説明を行なったが、一端側も保持材２７０により固定されるようにして良い。
【００５４】
なお、本実施の形態では電源装置２６０の段差は、電源カバー２６３のカバー面２６３ａを高部、ケース側面２６２ｂの端面を底部として段差を形成する仕様について説明を行なったが、段差は長手方向Ｘにおいて高さの異なる部材を隣接することで形成されるものであれば良い。例えば、ケース側面２６２ｂの端面の一部を突設もしくは凹まして段差を形成しても良い。また、高部もしくは底部となるような部材を追加して段差を形成しても良い。
【００５５】
なお、本実施の形態では保持材２７０は、内側脚部２７２ａはフレーム取付部２２１と当接するように設け、押え部２７１と内側脚部２７２ａにより電源装置２６０を跨ぐ仕様について説明を行なったが、保持材２７０は、内側脚部２７２ａがケース側面２６２ｂの一部と対向して電源装置２６０を跨ぐようにしても良い。例えば、内側脚部２７２ａはフレーム取付部２２１と当接しないように形成しても良い。
【００５６】
実施の形態２．
次に、実施の形態２の光源ユニット３００を図１４および図１５を参照して説明する。本実施の形態に係る光源ユニット３００は、実施の形態１の光源ユニット２００と異なる電源装置３１０を有するものであり、実施の形態１と同一又は相当部分には同一符号を付し重複した説明は省略する。
【００５７】
図１４は光源ユニット３００の斜視図である。光源ユニット３００は、電源装置３１０が保持材２７０によりフレーム２２０に固定されている。
【００５８】
図１５は電源装置３１０の斜視図である。電源装置３１０は電源カバー３１１を備えている。電源カバー３１１は、カバー面３１１ａと段差部３１２を有している。
カバー面３１１ａは、電源回路２６１の図示しない電気部品と対向する面である。段差部３１２は、カバー面３１１ａの長手方向Ｘにおける略中央において、下方向Ｚ２に凹むように形成されている。
段差部３１２は、段差部底面３１２ａと段差部側面３１２ｂを有している。段差部３１２は段差部底面３１２ａを低部、カバー面３１１ａを高部として段差を形成している。また、段差部３１２の長手方向Ｘの長さは、保持材２７０の押え部２７１が挿し込みできる長さに形成されている。
【００５９】
保持材２７０は、この段差部３１２に押え部２７１が挿し込まれ、電源装置３１０を跨いだ状態でフレーム係合部２７２が保持材係合部２２２ｂに係合し、電源装置３１０をフレーム２２０に固定する。
このとき、保持材２７０は、長手方向Ｘの両側において段差部側面３１２ｂと当接するように対向することで、電源装置２６０の長手方向Ｘへの移動を抑制する。
よって、光源ユニット３００は、電源装置３１０の電源ケース３１１が段差部３１２有していることで、保持材２７０を１つだけで電源装置３１０を固定することができ、容易に組み立てをすることができる。
【００６０】
なお、本実施の形態では、電源装置３１０は、電源カバー３１１の一部を凹ませた段差部３１２に関して説明を行なったが、電源カバー３１１のカバー面３１１ａから上方向Ｚ１へ突設する凸部を対に設けて段差部を形成しても良い。このとき、凸部の頂面が高部となり、カバー面３１１ａが低部となる段差を形成する。
【００６１】
実施の形態３．
次に、実施の形態３の光源ユニット４００を図１６から図１９を参照して説明する。本実施の形態に係る光源ユニット４００は、実施の形態１および実施の形態２の光源ユニット２００と異なる保持材４１０を有するものである。実施の形態１および実施の形態２と同一又は相当部分には同一符号を付し重複した説明は省略する。
【００６２】
図１６は光源ユニット４００の斜視図であり、図１７は図１６に示す光源ユニット４００のＪ−Ｊ′断面図であり、図１８は図１６に示す保持材４１０の正面図であり、図１９は図１６に示すフレーム４２０の正面図である。光源ユニット４００は、電源装置２６０が電材保持材４１０によりフレーム４２０に固定されている。
【００６３】
保持材４１０は、電源装置２６０と当接する押え部４１１と、押え部４１１に対になるように設けられたフレーム係合部４１２を有している。
フレーム係合部４１２は、押え部４１１側に設けられた内側脚部４１２ａと、押え部４１１に対して内側脚部４１２ａより遠い側に設けられた外側脚部４１２ｂとを有している。
内側脚部４１２ａは上下方向Ｚにおいて、図１７に示すように、電源装置２６０より長く形成されている。
外側脚部４１２ｂは上下方向Ｚにおいて、内側脚部４１２ａよりも短く形成されているとともに、端部より内側脚部１３２１に向って突設した爪部４１２ｃを有している。
【００６４】
フレーム４２０は、板状に形成されたフレーム取付部４２１と、フレーム取付部４２１の長手側辺それぞれからフレーム取付部４２１と交差する方向に突出する一対のフレーム側部４２２とで構成されている。
フレーム取付部４２１は、一方の面は発光部２１０が配置される発光部取付面４２１ａであり、発光部取付面４２１ａの反対の面である他方の面が電源装置２６０が配置される電源取付面４２１ｂとなる。また、発光部取付面４２１ａはフレーム４２０の第一の取付面であり、電源取付面４２１ｂはフレーム４２０の第二の取付面である。
フレーム側部４２２は、フレーム取付部４２１の発光部取付面４２１ａ側に対になるように設けられており、凹部を形成するように内側側面４２２ａと外側側面４２２ｂを有している。この外側側面４２２ｂの先端には、折り返され形成された側部端部４２２ｃが設けられている。側部端部４２３は、一部に保持材４１０が係合する保持材受部４２２ｃａが設けられている。
【００６５】
保持材４１０は、取り付けをする作業者により、対になるフレーム係合部４１２が互いに近づくように弾性変形された状態で電源装置２６０を跨ぐように、フレーム側部４２２の凹部である内側側面４２２ａと外側側面４２２ｂとの間に外側脚部４１２ｂを挿入される。
そして、内側側面４２２ａと外側側面４２２ｂとの間に外側脚部４１２ｂが挿入された状態で、弾性変形が解除され、爪部４１２ｃが保持材受部４２２ｃａに係合し、保持材４１０はフレーム４２０に固定される。
このとき、保持材４１０は、押え部４１１が電源装置２６０を電源取付面４２１ｂ側へ押圧するとともに、内側脚部４１２ａが電源装置２６０を挟んでいる。よって、保持材４１０は電源装置２６０の短手方向Ｙの移動を抑制し、電源装置２６０をフレーム４２０に固定することができる。
【００６６】
本実施の形態の光源ユニット４００は、保持材４１０の内側脚部４１２ａが、上下方向Ｚにおいて電源装置２６０よりも長く形成されていることで、フレーム側部４２２が発光部２１０側にあるフレーム４２０にも電源装置２６０を固定することができる。
【００６７】
また、光源ユニット４００は、フレーム４２０がフレーム側部４２２を発光部取付面４２１ａ側に突設するように設けている。よって、光源ユニット４００は器具本体１００の収容凹部１１０に収容された状態において、フレーム４２０が収容凹部１１０の内部に占める割合を減らすことができ、収容凹部１１０の内部空間を効率良く使用することができる。
【００６８】
なお、上記の実施の形態１〜実施の形態３のいずれにおいても、フレーム２２０、４２０に配置される電気部品として電源装置２４０、３１０を電源取付面２２１ｂ、４２１ｂに設ける仕様について説明を行なったが、電気部品は電源装置２６０、３１０に限らず、端子台や調光装置、通信装置等の電気部品であっても良い。よって、保持材２７０、４１０は電源装置２６０、３１０を保持するだけでなく、端子台、調光装置、通信装置等の電気部品を保持することもできる。また、電源取付面２２１ｂ、４２１ｂに複数の電気部品を配設しても良い。
【００６９】
また、上記の実施の形態１〜実施の形態３のいずれにおいても、器具本体１００にバネ１４０を設け、光源ユニット２００に連結金具２６０を設ける仕様について説明を行なったが、器具本体１００が連結金具２６０を備え、光源ユニット２００がバネ１４０を備える仕様でも良い。
【００７０】
また、上記の実施の形態１〜実施の形態３のいずれにおいても、カバー２３０の主カバー部２３１は、略円弧形状の仕様について説明を行なったが、略円弧形状に限らず多面形状でも良く、側面に凹凸を複数設けるような仕様でも良い。また、複数のカバーが組み合わさった仕様でも良い。
【００７１】
また、天井等に取り付けられる逆富士形の照明器具について説明したが、逆富士形の形状に限らず、照明器具であれば、その形状は限定されない。
【００７２】
また、上記実施の形態１〜３は、いくつかを適宜組み合わせることが可能である。また、上記実施の形態１〜３の一部を抽出して組み合わせることも可能である。更に、実施の形態１〜３に限らず、適宜変更することも可能である。
【符号の説明】
【００７３】
Ｘ  長手方向、Ｙ  短手方向、Ｚ  上下方向、Ｚ１  上方向、Ｚ２  下方向、１  照明装置、1００  器具本体、１１０  収容凹部、１１０a  底部、１１０aa  電源引込孔、１１０ab  固定孔、１１０b  側部、１１１  傾斜部、１１２  側板、１１２ａ  側板本体、１１２ｂ  側板鍔部、１２０  バネ、１２１  バネ固定部、１２２  バネ円弧部、１２３  バネ先端部、１３０  端子台、１３１  端子台本体部、１３２  端子台接続部、１３２ａ  端子台電線、１３２ｂ  端子台コネクタ、２００  光源ユニット、２１０  発光部、２１１  発光素子、２１２  基板、２１３  発光部電線、２２０  フレーム、２２１  フレーム取付部、２２１ａ  発光部取付面、２２１ｂ  電源取付面、２２１ｃ  電線挿通部、２２１ｄ  フレーム突起部、２２２  フレーム側部、２２２ａ  側部端部、２２２ｂ  保持材係合部、２２２ｂａ  保持材受部、２２２ｂｂ  保持材摺動部、２３０  カバー、２３１  主カバー部、２３２  カバー係合部、２４０  蓋、２５０  連結金具、２５１  金具固定部、２５２  バネ連結部、２５２ａ  連結開口部、２６０  電源装置、２６１  電源回路、２６１ａ  回路基板、２６１ｂ  端子部、２６１ｂａ  電線挿込孔、２６１ｂｂ  電線解除孔、２６１ｂｃ  入力端子部、２６１ｂｄ  出力端子部、２６２  電源ケース、２６２ａ  ケース底面、２６２ｂ  ケース側面、２６３  電源カバー、２６３ａ  カバー面、２６３ｂ  カバー端面、２６３ｃ  カバー側面、２６４  電源接続部、２６４ａ  電源電線、２６４ｂ  電源コネクタ、２７０  保持材、２７１  押え部、２７１ａ  押え平面部、２７１ｂ  ケース押え部、２７１ｃ  保持材側解除孔、２７２  フレーム係合部、２７２ａ  内側脚部、２７２ｂ  外側脚部、２７２ｃ  爪部、３００  光源ユニット、３１０  電源装置、３１１  電源カバー、３１２  段差部、３１２ａ  段差部底面、３１２ｂ  段差部側面、４００  光源ユニット、４１０  保持材、４１１  押え部、４１２  フレーム係合部、４１２ａ  内側脚部、４１２ｂ  外側脚部、４１２ｃ  爪部、４２０  フレーム、４２１  フレーム取付部、４２１ａ  発光部取付面、４２１ｂ  電源取付面、４２２  フレーム側部、４２２ａ  内側側面、４２２ｂ  外側側面、４２２ｃ  側部端部、４２２ｃａ  保持材受部。
【図１】
2018147797.tif 000003
【図２】
2018147797.tif 000004
【図３】
2018147797.tif 000005
【図４】
2018147797.tif 000006
【図５】
2018147797.tif 000007
【図６】
2018147797.tif 000008
【図７】
2018147797.tif 000009
【図８】
2018147797.tif 000010
【図９】
2018147797.tif 000011
【図１０】
2018147797.tif 000012
【図１１】
2018147797.tif 000013
【図１２】
2018147797.tif 000014
【図１３】
2018147797.tif 000015
【図１４】
2018147797.tif 000016
【図１５】
2018147797.tif 000017
【図１６】
2018147797.tif 000018
【図１７】
2018147797.tif 000019
【図１８】
2018147797.tif 000020
【図１９】
2018147797.tif 000021